(57)【特許請求の範囲】
【請求項１】
震動源を伴う環境における震動に敏感な記憶装置を動作させる方法であって、
（ａ）前記記憶装置の性能を監視するステップと、
（ｂ）前記記憶装置の性能が所定レベルを下回るまでに低下したときに前記震動源により生じる震動の影響を減らすための動作を行うステップと、
を有し、
前記震動源が少なくとも１つのスピーカであり、前記スピーカ及び前記記憶装置は、同じハウジングに構成され、
（Ａ）前記ハウジングは民生電子装置であり、
（Ｂ）前記記憶装置はオーディオビジュアルデータの入力ストリームを記録するよう構成され、
（Ｃ）前記民生電子装置は画面及び前記スピーカによって前記オーディオビジュアルデータの入力ストリームを再生するよう構成され、
当該方法は、
（Ｄ）前記記憶装置によってディスクに前記オーディオビジュアルデータの入力ストリームを記憶するステップと、
（Ｅ）画面及び前記スピーカにより前記ディスクに記憶されたオーディオビジュアルデータの当該記憶ストリームを再生するステップと、
を有し、
前記震動源により発生される震動の影響を減らすための動作は、当該オーディオビジュアルデータの記憶ストリームに代えて前記オーディオビジュアルデータの入力ストリームを表示するようユーザに勧告するステップを有する、
方法。
【請求項２】
震動源を伴う環境における震動に敏感な記憶装置を動作させる方法であって、
（ａ）前記記憶装置の性能を監視するステップと、
（ｂ）前記記憶装置の性能が所定レベルを下回るまでに低下したときに前記震動源により生じる震動の影響を減らすための動作を行うステップと、
を有し、
前記震動源が少なくとも１つのスピーカであり、前記スピーカ及び前記記憶装置は、同じハウジングに構成され、
（Ａ）前記ハウジングはオーディオビジュアルデータを再生するよう構成された民生電子装置であり、
（Ｂ）前記民生電子装置によって構成されない少なくとも１つの他のスピーカが前記民生電子装置に接続され、
（Ｃ）前記動作は、
ｉ．）前記民生電子装置によって構成されたスピーカを通じた前記オーディオビジュアルデータの再生を停止するステップと、
ｉｉ．）前記他のスピーカを通じて前記オーディオビジュアルデータの再生を開始するステップと、
を有する方法。
【請求項３】
請求項１又は２に記載の方法であって、前記記憶装置の性能は、前記記憶装置のサービス時間統計値によって示される、方法。
【請求項４】
請求項１又は２に記載の方法であって、前記記憶装置の性能は、前記記憶装置の平均ビットレートによって示される、方法。
【請求項５】
請求項１又は２に記載の方法であって、前記動作は、前記震動を減らすようユーザにメッセージを提供するステップを有する、方法。
【請求項６】
請求項１又は２に記載の方法であって、前記震動源は、スピーカであり、前記動作は、前記スピーカにより発生される音声のボリュームを小さくすることを含む、方法。
【請求項７】
請求項１又は２に記載の方法であって、前記性能が前記所定レベルを下回るまで低下し前記記憶装置の環境温度が他の所定レベルを上回るときには動作は行われない、方法。
【請求項８】
請求項１又は２に記載の方法であって、前記震動源は、第１の装置によって構成され、前記記憶装置は、第２の装置によって構成され、前記第１及び第２の装置は、ネットワークリンクを通じて接続され、前記動作は、前記震動源によって生じる震動パワーを減らすことによって前記第２の装置を制御することを含む、方法。
【請求項９】
請求項１又は２に記載の方法であって、前記所定レベルは、所定期間の間に前記記憶装置の性能が前記所定レベルを下回るときにより低い他の所定レベルに置き換えられる、方法。
【請求項１０】
請求項１又は２に記載の方法であって、前記震動は、前記記憶装置を有する構造体における震動である、方法。
【請求項１１】
請求項１又は２に記載の方法であって、前記震動は、空気伝達の震動である、方法。
【請求項１２】
請求項１又は２に記載の方法であって、前記記憶装置は、ディスクドライブである、方法。
【請求項１３】
請求項１又は２に記載の方法であって、前記動作は、オーディオビジュアルデータの記憶及び取り出し以外の前記記憶装置に関係する動作を停止することを含む、方法。
【請求項１４】
震動源を伴う環境において記憶装置を動作させる装置であって、プロセッサを有し、このプロセッサが、
（ａ）前記記憶装置の性能を監視するステップと、
（ｂ）前記記憶装置の性能が所定レベルを下回るまでに低下したときに、前記震動源によって発生される震動の影響を低下させるための動作を行うステップと、
を行うようにされ、
前記震動源が少なくとも１つのスピーカであり、前記スピーカ及び前記記憶装置は、同じハウジングに構成され、
（Ａ）前記ハウジングは民生電子装置であり、
（Ｂ）前記記憶装置はオーディオビジュアルデータの入力ストリームを記録するよう構成され、
（Ｃ）前記民生電子装置は画面及び前記スピーカによって前記オーディオビジュアルデータの入力ストリームを再生するよう構成され、
前記プロセッサは、
（Ｄ）前記記憶装置によってディスクに前記オーディオビジュアルデータの入力ストリームを記憶するステップと、
（Ｅ）画面及び前記スピーカにより前記ディスクに記憶されたオーディオビジュアルデータの当該記憶ストリームを再生するステップと、
を行うようにされ、
前記震動源により発生される震動の影響を減らすための動作は、当該オーディオビジュアルデータの記憶ストリームに代えて前記オーディオビジュアルデータの入力ストリームを表示するようユーザに勧告するステップを有する、
装置。
【請求項１５】
震動源を伴う環境において記憶装置を動作させる装置であって、プロセッサを有し、このプロセッサが、
（ａ）前記記憶装置の性能を監視するステップと、
（ｂ）前記記憶装置の性能が所定レベルを下回るまでに低下したときに、前記震動源によって発生される震動の影響を低下させるための動作を行うステップと、
を行うようにされ、
前記震動源が少なくとも１つのスピーカであり、前記スピーカ及び前記記憶装置は、同じハウジングに構成され、
（Ａ）前記ハウジングはオーディオビジュアルデータを再生するよう構成された民生電子装置であり、
（Ｂ）前記民生電子装置によって構成されない少なくとも１つの他のスピーカが前記民生電子装置に接続され、
（Ｃ）前記動作は、
ｉ．）前記民生電子装置によって構成されたスピーカを通じた前記オーディオビジュアルデータの再生を停止するステップと、
ｉｉ．）前記他のスピーカを通じて前記オーディオビジュアルデータの再生を開始するステップと、
を有する、
装置。
【請求項１６】
請求項１４又は１５に記載の民生電子装置であって、前記震動源は、動作中にディスクを回転させるよう構成されたディスクドライブである、装置。
【発明の詳細な説明】
【技術分野】
【０００１】
本発明は、震動源を伴う環境において震動に敏感な記憶装置を動作させる方法に関する。
【０００２】
本発明はさらに、震動源を伴う環境において記憶装置を動作させるものであってプロセッサを有する回路に関する。
【０００３】
本発明はまた、オーディオビジュアルデータのストリームを受信する手段と、ディスクにオーディオビジュアルデータのストリームを記憶するよう構成された記憶装置と、震動源とを有する民生電子機器に関する。
【背景技術】
【０００４】
このような方法、回路及び装置は、特許文献ＵＳ−Ｂ−６０６７３６２より知られている。この文献は、音響震動が当該装置の性能パラメータを妨害するものと予測される場合に音響システムにより生成された音声の少なくとも特定の周波数成分のゲインを低下させる装置を開示している。出力音声のレベル又は出力音声の少なくとも１つの周波数成分が高すぎる場合、当該音声の、又はその特定の周波数成分のゲインが減少させられる。ゲインの低減は、ＣＤプレーヤ又はハードディスクのような装置の構成部に対する高い音声レベルによって生じる悪い影響の震動を回避することを狙ったものである。
【０００５】
開示されている回路は、例えばＣＤプレーヤ又はハードディスクの動きにかかわらず当該装置によって生成した音声のゲインが所定閾値を超えたときに当該ゲインを常に減らすものである。
【発明の開示】
【発明が解決しようとする課題】
【０００６】
本発明の目的は、こうした震動が当該記憶装置の性能に対して重大な影響を有するときにのみ震動を低下させることである。
【課題を解決するための手段】
【０００７】
この目的は、前記記憶装置の性能を監視するステップと、前記記憶装置の性能が所定レベルを下回るまでに低下したときに前記震動源により生じる震動の影響を減らすような動作を行うステップと、を有する、という本発明による方法を用いることによって達成される。
【０００８】
ハードディスクドライブなのか、光ディスクドライブなのか、或いは他の種類の記憶装置なのかにかかわらず当該記憶装置の性能は、最大達成可能データ取込又は記憶レート又はアクセス時間として測定可能である。当該所定のレベルは、当該記憶装置からのアプリケーション取込データ又は当該記憶装置における記憶データの条件によって決めることができる。
【０００９】
本発明による方法を用いることの主な利点は、例えば音源により発生した音の減衰により（これが当該記憶装置の必要な最低限の性能を保証するために必要な場合）、当該震動の影響だけが減らされる、ということである。例えば、毎秒２Ｍｂのビットレートしか要求されていない場合、当該記憶装置の最大達成可能なビットレートが震動により毎秒３５Ｍｂから毎秒５Ｍｂへ落ちたときに起動する必要はない。
【００１０】
換言すれば、本発明による方法を用いることによって、この方法を適用する装置は、可能な限り長く、すなわち当該装置の性能がユーザが気づくことで阻まれるまでユーザの好みに応じて機能する。
【００１１】
本発明による方法の一実施例においては、前記動作は、前記震動を減らすようユーザにメッセージを提供するステップを有する。
【００１２】
ユーザによって設定された装置の自動的な設定は、そのユーザを苛立たせる場合がある。この苛立たしさを回避するため、当該記憶装置の適正な機能を確実にするために、当該ユーザは、自分が震動を減らすべきであること、例えばその音声レベルを減らすべきであることを知らせるメッセージが与えられるようにしてもよい。
【００１３】
本発明の一実施例においては、前記性能が前記所定レベルを下回るまで低下し前記記憶装置の環境温度が他の所定レベルを上回るときには動作は行われない。
【００１４】
記憶装置の性能及び特にハードディスクドライブの性能は、当該記憶装置の温度の影響を受ける。本発明による方法が実行される所定レベルを下回ると、温度の高い環境が当該記憶装置の性能低下も引き起こす。しかし、震動を減らすことは、ハードディスクドライブの性能に対して僅かの作用しか呈しないか又は全く作用を呈しないと思われる。したがって、当該記憶装置の性能が所定レベルを下回るまで低下し当該記憶装置の温度が他の所定レベルを上回る場合に何ら実行されない。
【００１５】
本発明の他の実施例においては、震動源はラウドスピーカであり、ラウドスピーカ及び記憶装置は同じハウジング内（筺体）に構成され、このハウジングは、民生電子装置であり、当該記憶装置はオーディオビジュアルデータの入力ストリームを記録するように構成され、当該民生電子装置は、画面及ラウドスピーカによってオーディオビジュアルデータの入力ストリームを再生するよう構成されるとともに、本方法は、当該記憶装置によりディスクにオーディオビジュアルデータの入力ストリームを記憶するステップと、画面及びラウドスピーカによって当該ディスクに記憶されたオーディオビジュアルデータの記憶ストリームを再生するステップとを有し、震動源により発生した震動の影響を減らすための実行（動作）は、オーディオビジュアルデータの記憶ストリームに代えてオーディオビジュアルデータの入力ストリームを表示するようユーザに促すステップを有する。
【００１６】
例えば５分又は数時間の期間をもってビデオデータを時間シフトすることが知られている。殆どの実現形態は、上記期間（例えば５分ぐらい）において記憶されたデータの読み取りと同時にデータが書き込まれるハードディスクを用いている。かかる実現形態は、スタンドアロン（独立型）のビデオレコーダの他にＴＶセットにおいても構築することができる。多くの知られたＴＶセットも内臓スピーカを備えている。その音声ボリュームが、その音響震動が当該ハードディスクの動作を妨害するほど高い場合は、読取及び書込処理の品質に影響を及ぼし時間シフト動作（データの読取及び書込動作）に影響を及ぼし、ユーザに不利となる可能性がある。
【００１７】
１つの解決策としては、ゲインを落とすことであるが、この動作オプションをユーザが受け入れない場合は、時間シフト視聴からライブ視聴へ切り換える選択枝があるかもしれない。時間シフト遅延が少しだけある場合、ユーザにとっては大きな問題にならず、ユーザは、ＴＶプログラムのライブ再生へと早く前に進むことができる。ライブ視聴の場合、ハードディスクを用いる必要はなく、ハードディスクが動作していないときは、震動によって動作が妨害されることはない。これは明らかな利点である。
【００１８】
本発明のさらに他の実施例においては、前記ハウジングはオーディオビジュアルデータを再生するよう構成された民生電子装置であり、前記民生電子装置によって構成されない少なくとも１つの他のスピーカが前記民生電子装置に接続され、前記動作は、前記民生電子装置によって構成されたスピーカを通じた前記オーディオビジュアルデータの再生を停止するステップと、前記他のスピーカを通じて前記オーディオビジュアルデータの再生を開始するステップと、を有する。
【００１９】
多くのＴＶセットその他の民生電子機器は、当該ＴＶセットを他のスピーカ又はホームエンターテイメントシステムに接続するための接続手段を備えている。これにより、ユーザが自分のＴＶセットを他の、多くの場合はより良いスピーカに接続することができる。大抵、このようなスピーカはＴＶセットから離れて配置されるので、当該スピーカの震動がＴＶセット内の記憶装置の性能に影響を与える可能性は低い。
【００２０】
したがって、記憶装置の性能を妨害する震動であってＴＶセットにより構成されるスピーカによる音声再生による震動の場合、音声再生を離隔したスピーカに切り換えると、ユーザの不都合は最も小さく減る。この最小化されたユーザの不都合は、当然この実施例の大きな利点である。
【００２１】
また、本発明の他の実地例においては、震動源は第１の装置によって構成され、当該記憶装置は第２の装置によって構成され、第１及び第２の装置はネットワークリンクを通じて接続され、当該実行動作は、当該震動源によって生じる震動のパワーを減らすことによって第２の装置を制御することである。
【００２２】
ホームネットワークは、あらゆる種類の電子機器間の、例えばホームストレージサーバと大形スピーカとの間の通信を可能とする。これら２つの装置が１メートルほどもそんなに遠く離れて位置付けられていない場合、音声データを再生する当該大形スピーカの震動は、当該サーバの適正な動作を妨害する可能性がある。当該サーバに対してスピーカにより生じた震動の影響を軽減するため、サーバはスピーカのゲインを制御しそれを減らすことができる。
【００２３】
本発明のもう１つの実施例においては、当該記憶装置の性能が所定期間中に所定レベルを下回ったときに、当該所定レベルがさらに低い所定レベルに置き換えられる。
【００２４】
記憶装置の性能は、本発明によれば、より長い時間の期間実行動作される閾値を下回り易い。これは、幾つかのケースにおいては、ユーザが特に低周波数成分の高い音声レベルを好み、記憶装置の性能低下及びそれによる全ての結果を当然のこととして考える場合に相当する。その場合、連続して実行動作がなされ、本発明による民生電子装置のユーザに対して非常に苛立たせることになる可能性がある。
【００２５】
これを避けるため、この実施例は、記憶装置の性能がより長い時間において所定レベルを下回る場合に所定のレベル（これを下回る場合に震動の影響を軽減するように実行動作がなされる）を、さらに低い所定レベルに置き換える。
【００２６】
本発明による回路は、当該プロセッサが記憶装置の性能を監視し、記憶装置の性能が所定レベルを下回るまで落ちたときに震動源により生じた震動の影響を減らすように実行動作がなされるように構成される。
【００２７】
本発明による民生電子装置は、記憶装置を制御するために請求項１６に記載の回路を有する。
【００２８】
本発明の実施例は図面によって以下に示される。
【発明を実施するための最良の形態】
【００２９】
図１は、本発明による実施例の民生電子機器としての装置１００を示している。装置１００は、ケーブル、衛星、ルーフアンテナなどのデータソースから信号１８０を受信する受信機１０２と、アナログ−ディジタル変換器（Ａ／Ｄコンバータ）１０４と、圧縮ユニット１０６と、記憶装置１０８と、伸長ユニット１１０と、ビデオプロセッサ１１２と、オーディオプロセッサ１１４と、左スピーカ１１６と、右スピーカ１１８と、表示ユニット１２０と、制御ユニット１５０とを有する。
【００３０】
受信機１０２は、入力信号１８０からベースバンド信号を選択し取り込むよう構成される。このベースバンド信号は、Ａ／Ｄコンバータ１０４に送られ、当該ベースバンド信号をオーディオビジュアルデータのディジタルストリームに変換する。オーディオビジュアルデータのストリームは、圧縮ユニット１０６に送られ、ここでそのストリームを圧縮する。ベースバンド信号がディジタルビデオ放送（Digital Video Broadcasting：ＤＶＢ）におけるが如く既にディジタルである場合、Ａ／Ｄコンバータ１０４はもはや用いられず、幾つかのケースにおいては圧縮ユニット１０６でさえ用いられない。何故なら、この入力信号は既にオーディオビジュアルデータのディジタル圧縮ストリームだからである。
【００３１】
このオーディオビジュアルデータの圧縮ストリームは、本実施例ではハードディスクドライブとなっている記憶装置１０８に記憶される。この記憶されたストリームは、左スピーカ１１６、右スピーカ１１８及び表示ユニット１２０によって再生可能となる。このストリームは、記憶装置において直接再生可能であるが、それは数分後であったり、何時間又は何日間か後でも可能である。この態様において、記憶装置１０８は時間シフト動作のために用いることができ、ユーザが現に放送されているテレビ番組の再生を一時停止し、記憶装置１０８に記憶されたデータを見ることによって、遅延を伴った形で再生を続けることが可能となる。この再生中は、受信データが記憶装置１０８にまだ記憶されている。
【００３２】
オーディオビジュアルデータの記憶ストリームの提示のために、当該ストリームは、伸長ユニット１１０によって伸長される。伸長ユニット１１０はまた、オーディオビジュアルデータのストリームをオーディオ部分とビデオ部分に分離する。
【００３３】
ビデオ部分はさらにビデオプロセッサ１１２によって処理され、オーディオ部分はさらにオーディオプロセッサ１１４によって処理される。ビデオブロセッサ１１２は、ディジタルビデオ部分をアナログビデオ部分に変換し、アナログビデオ信号を表示ユニット１２０によって提示することができるように処理する。表示ユニット１２０は、陰極線管、液晶ディスプレイ、プラズマディスプレイ又はその他のビデオ表示手段によって具現化することができる。
【００３４】
オーディオプロセッサ１４は、ディジタルオーディオ部分をアナログオーディオ部分に変換し、アナログオーディオ信号を左スピーカ１１６及び右スピーカ１１８によって再生することができるように処理する。この実施例においては、ステレオオーディオの設定を示しているが、モノタイプから想定可能なマルチチャンネル音声の設定まで、どんな種類のオーディオ設定でも可能であることは当業者であれば明らかである。
【００３５】
この実施例において、スピーカは装置１００によって構成される。これは、従来技術によって認識されたように、記憶装置にとっては問題となりうる。スピーカによって生じた震動は、記憶装置１０８の機能を妨害する。これについては数多くの例があり、特にディジタルバーサタイルディスク（Digital Versatile Disc）又はハードディスクドライブのようなディスクをベースにしたメモリの場合がある。当該アクチェエータ又はディスクアセンブリに伝搬する震動は、外乱と考えられ、これによりピックアップユニットが当該ディスクのトラックに追従することがより困難となる。
【００３６】
また、かかる震動はピックアップユニット自体に影響を与える。震動は、メモリの性能の低下を招くデータ読取不良をもたらし、最悪の場合はディスクにおけるピックアップユニットの破壊となり、記憶装置の寿命及び性能面に壊滅的なものとなる。このような影響は、しばしば装置１００におけるエラー処理過程によって統合装置１００に対して暫くの間表に現れない。性能監視ツールだけが、こうした変化の徴候を検出することができる。
【００３７】
従来技術のシステムは、震動を封じようとするものであるが、必要がないときにもそれを厳格に行うものである。例えば、記憶装置が使用状態になくピックアップユニットが安全な位置にあるときは、震動が記憶装置の性能を落とすことはない。したがって、震動を封じる必要はない。さらに、公称の性能の例えば２０％ぐらいといった僅かの性能しか必要なく、震動が公称の性能の５０％のレベルに性能を落とすときにも、震動を封じる必要がない。
【００３８】
これは、重要な基本的原則である。音源により震動が起きたときに、不必要に音声ボリュームを変えることは望ましくない。何故ならユーザに煩わしさを与えることになるからである。本発明による方法を用いると、震動が記憶装置の性能の受け入れ不可能な低下をもたらしたとき、また当該性能が所定レベルを下回るまで落ちたときにのみ震動を減らす動作をなす。勿論、当該所定レベルの設定は、記憶装置を用いる用途に応じたものとすることができる。
【００３９】
かかる性能は、色々な方法によって測定可能である。図１によって説明した本発明の実施例では、制御ユニット１５０は、記憶装置１０８のアクセス時間についての統計値を保持する。平均アクセス時間が所定時間分、例えば１０秒の期間において５００ミリ秒を超えるほど長すぎるときは、動作が実行される。勿論、アクセス時間中央値が大きすぎたり、最大アクセス時間が長すぎたり、又はアクセス時間の標準偏差が大きすぎたときに動作を起こすといった色々な関連実施例は当業者にとっては自明である。
【００４０】
本発明の他の実施例では、記憶装置１０８から伸長ユニット１１０に流れるデータの平均ビットレートが所定レベルを下回るまで落ちたときに動作が行われる。これについても当業者であれば色々な変形は自明である。
【００４１】
前の段落で述べたように、当該所定レベルは記憶装置を用いる用途に基づくものとすることができる。かかる用途が記憶装置に記憶されたオーディオビジュアルデータのストリームを再生することである場合、この用途は、適正な動作のために所定のビットレート、例えば毎秒４メガビットぐらいを必要とすることがある。記憶装置が本用途だけに使われる場合、記憶装置の性能は、当該ビットレートによって決めることができ、所定の限界値は、毎秒４メガビットで、好ましくは１０％の安全性マージンを伴うものとされる。
【００４２】
震動のレベルを減らすために行うことのできる動作は、数多くあり、本発明又はその実施例による方法を用いた装置の設定に応じたものである。ここで述べた実施例は、主に音声震動に関係するものである。しかしながら、本発明は、記憶システムに対する他の震動の影響を減らすためにも用いることができる。
【００４３】
先ず、本装置は、それ自体が震動を封じるために動作を行うことができる。これを行う本発明による方法の各種実施例は、以下に説明される。本発明による方法の他の実施例においては、当該装置が、メッセージをその装置のユーザに示すことによって震動の影響を減らすような動作を行う。かかるメッセージは、ユーザに震動を減らすように知らせる。本発明による方法のこの実施例が、例えば内臓スピーカによって発せられた音声により震動が生じる可能性が高いディジタルテレビジョンセットにおいて用いられる場合、ユーザには、当該テレビジョンセットにより生じるボリュームを落とすような画面上のメッセージを提供することができる。
【００４４】
さらに他の実施例では、記録装置を備えるテレビジョンセットが時間シフト目的でテレビ番組を記録する場合、ユーザは、遅延を伴う形というよりも現放送によるモードで記録番組を見るようアドバイスされる。この態様においては、当該番組は記録される必要がなく、記録処理が震動によって影響を受けない。何故ならば、記録処理がないからである。
【００４５】
本発明のまたさらに他の実施例では、背景デフラグ（background defragmentation）のようなハードディスクの一般的な「自家使用」動作は、例えば震動によりハードディスクドライブの性能が落ちた場合に停止される。この態様において、通常の記録及び／又は再生処理が問題なく継続可能となる。この「自家使用」動作は、ハードディスクドライブの性能が再び向上したときに継続される。
【００４６】
前述したように、本装置はまた、それ自体が震動の影響を減らすように動作を行う。本発明による一実施例において、震動量が減らされる。本発明による方法のこの実施例が当該ＴＶセット内に構築された記憶装置の性能を妨害する震動（音声）を発生するスピーカ２１０（図２）を有するＴＶセット２００（図２）に用いられる場合、スピーカによって発せられた音声のボリュームが低下させられる。もう１つの実施例においては、震動をもたらす周波数スペクトルの所定の部分のレベルだけが削除される。米国特許ＵＳ−Ｂ−６０６７３６２には、幾つかの例が示されている。
【００４７】
しかしながら、ユーザは、ＴＶセットにより提供された番組に従って大音量を好み番組をまだ記録したいと思う可能性もある。この場合、この問題は、ＴＶセットにより構成されるスピーカを遮断し他のスピーカを介して音声出力することにより解決することができる。これは図３に描かれており、内臓左スピーカ３１０及び内臓右スピーカ３２０を備え、左衛星スピーカ３３０、右衛星スピーカ３４０及び後部衛星スピーカ３５０に接続されるＴＶセット３００を示している。ＴＶセット３００は、記憶装置（図示せず）を有している。
【００４８】
その時に行われているタスクにとって受け入れ不可能なレベルを下回るまでに記憶装置の性能が落ち込んだときには、内臓左スピーカ３１０及び内臓右スピーカ３２０の音声は遮断され、左衛星スピーカ３３０、右衛星スピーカ３４０それぞれに、またオプションとして後部衛星スピーカ３５０に差し向け直される。
【００４９】
内臓スピーカへの音声がオフに切り換えられるときには、離隔スピーカが既にオンに切り換えられているものとすることができる。本発明による方法の一実施例においては、内臓スピーカから離隔スピーカへ音声が差し向け直されない。他の実施例においては、内臓スピーカの音声は、差し向け直され既に離隔スピーカによって生成された音声に加えられる。
【００５０】
衛星スピーカが十分に遠くに位置づけられた場合、それらが発生した音声震動は、もはやＴＶセット３００に構成された記憶装置に影響を与えない。ＴＶセットにより生成された音声レベルが、記憶装置の性能の低下を検出しないレベルに低下した場合、内臓左スピーカ３１０及び内臓右スピーカ３２０は、再びオンに切り換えられるものとしてもよい。
【００５１】
或いは、記憶装置の性能が、内臓左スピーカ３１０及び内臓右スピーカ３２０の音声が遮断される所定レベルに等しく相当する他の所定限界を上回るレベルに増大したときに、これがなされる。
【００５２】
本発明による方法の他の実施例は、図４を参照して説明する。図４は、ネットワーク環境４００を示している。この環境は、サーバ４１０と、ＴＶセット４２０と、記憶装置（図示せず）を有するＴＶセット４２０の近くに位置する第１のスピーカ４３０と、ＴＶセット４２０から離れて位置する第２のスピーカ４４０と、全ての装置を接続する有線又はワイヤレスネットワーク４５０とを有する。これら装置は、ＡｌｏｈａからＵＳＢ及びＴＣＰ／ＩＰその他本発明の範囲から逸脱することのない数多くのものに至るあらゆる種類のプロトコルを用いて互いに直接又はサーバ４１０を介してネットワークにより通信可能である。
【００５３】
記憶装置に記憶されたオーディオビジュアルデータを再生する場合のＴＶセット４２０の通常の動作においては、第１のスピーカ４３０によってオーディオデータが再生される。記憶装置の性能が所定レベルを下回るまで落ちたときには、このことがサーバ４１０に信号伝達され、第１のスピーカ４３０により発生された音声を低くする。
【００５４】
音声ボリュームの低減は、第２のスピーカ４４０によってオーディオデータを再生することによっても補償することができる。第２のスピーカ４４０はＴＶセットから離れて位置付けられているので、記憶装置の性能に対する第２のスピーカ４４０により発生された音声震動の影響は極めて小さいものとなる。本発明の他の実施例においては、記憶装置がサーバ４１０に位置付けられるが、スピーカ又は他の震動源の近傍に位置付けてもよい。
【００５５】
震動は空気を通じて伝搬する空気伝達のような音波と考えられるが、構造体中を伝搬し１つの構造体から隣接する構造体へと伝搬するものとも考えられる。図５は、記憶装置（図示せず）をこれに接続されるサブウーハユニット５２０とともに有するＴＶセット５００を示している。サブウーハユニット５２０は、好ましくはＴＶセット５００によって発生されたオーディオ信号の低周波数成分を増大させるように構成されたスピーカである。
【００５６】
低周波数オーディオ信号を再生する間、サブウーハユニット５２０のスピーカ膜（図示せず）だけでなく、サブウーハユニット５２０の外側構造体全体も震動する。こうした震動は、ＴＶセット５００に伝達され、記憶装置の性能に影響を及ぼすこととなる。好ましい実施例によれば、震動のレベルが高すぎて記憶装置の通常の動作が不可能なときは、ＴＶセット５００内のコントローラ（図示せず）によりサブウーハはオフに切り換えられる。本発明の他の実施例では、サブウーハにより発生された音声は、振動が記憶装置の適正な性能を妨害するときに減衰させられる。
【００５７】
空気伝達又は構造体伝達による震動も、ＴＶセット５００の置かれた環境によって増幅される可能性がある。その場合、本発明による方法は、低音声ボリュームで動作することになる。
【００５８】
図６は、オーディオビジュアルデータを記録するための民生電子記録装置６００を示している。記録装置６００は、光ディスク６２０に対してデータを読み取りオーディオビジュアルデータを書き込む光ディスクドライブ６１０を有し、さらにオーディオビジュアルデータの記憶及び取り出しのためのハードディスクドライブ６３０を有する。
【００５９】
高速で（実時間よりも速く）データを読み取り又は書き込む場合、光ディスク６２０は高速で回転させられ、空気力学的雑音を発生する。これは大きなエネルギーレベルを有する非常に広域なスペクトルノイズであり、記録装置６００の構造体を震動させる。ハードディスクドライブ６３０は、記録装置６００の構造体内に構築されているので、ハードディスクドライブ６３０に震動が伝わり、ハードディスクドライブ６３０の性能を妨害することになる。
【００６０】
ハードディスクドライブ６３０に対する構造体における震動の影響は、種々のサスペンション（懸架）手段によって軽減されるが、民生電子機器は大きすぎず、重すぎないものとすべきなので、これは常に適切な解決策にはならない。さらに、サスペンションは、光ディスクドライブ６１０により生じる空気伝達震動の問題を解決せず、この問題を解決するのにはかけ離れたものであり、貴重なスペースを使い、冷却な問題をもたらす。
【００６１】
本発明による方法の実施例によれば、記録装置は、ハードディスクドライブ６３０の性能に対する光ディスクドライブ６１０により生じる震動の影響を減らすように動作する。一実施例においては、光ディスク６３０の回転速度を低下させる。他の実施例においては、光ディスクの高回転速度がハードディスクドライブ６３０の性能を妨害している旨がユーザに警報され、ユーザは光ディスクの回転速度を落とすか、又はハードディスクドライブ６３０の動きに関係する動作をキャンセルするように通知される。
【００６２】
記憶装置の性能は、本発明によって長い時間期間において動作が行われる閾値をかなり下回ることがある。所定の実施例に対しては、これは、ユーザが特に低周波数成分につき高い音声レベルを好み、記憶装置の性能低下の他これに伴う全ての結果を当然のこととしてとらえている場合に起こるかもしれない。その場合、動作は継続してなされ、本発明による民生電子装置のユーザを非常に苛立たせることになるかもしれない。
【００６３】
これを避けるために、本発明による方法の実施例は、記憶装置の性能が比較的長い時間期間において所定レベルを下回るときに当該所定レベル（これを下回るときに震動の影響を減らすような動作がなされる）をさらに低い所定レベルに置き換える。
【００６４】
また、記憶装置の性能、特にハードディスクドライブの性能は、記憶装置の温度に影響を受ける。高温環境によっても、本発明による方法が実行される所定のレベルを下回ると性能悪化が引き起こされる。しかし、震動を減らすことは、ハードディスクドライブの性能に対して殆ど作用しないと思われる。したがって、本発明の実施例によれば、記憶装置の性能が所定レベルを下回るまで低下し記憶装置の温度が他の所定レベルを上回った場合は動作を行わない。
【００６５】
このため、記憶装置は温度センサを備えるようにしてもよい。ある種のハードディスクドライブは既に温度センサを備えており、こうしたセンサを本発明による方法のこの実施例を使う場合に用いることができる。
【００６６】
当業者にとっては、上記好適実施例の説明から、震動源が音源又は回転ディスクに限定されずこれ以外のもあることが明らかである。本発明はまた、震動を多く伴う環境として知られる車内で使われるようにすることもできる。
【００６７】
また、記憶装置は、ハードディスクドライブ又は光ディスクドライブに限定されず震動に敏感な記憶装置を用いる環境において用いられうることも明らかである。
【００６８】
さらに、記憶装置の性能が所定のレベルを下回るまで落ちたときに本発明による方法により行われる動作が数多くの態様で、例えば直ちになされたり、本発明による方法を使う装置のユーザを介してなされたりして具現化することができることも理解されるところである。
【００６９】
本発明は次のように要約することができる。
【００７０】
ディスクドライブのようなメモリシステムは大抵は震動に敏感である。音声の再生を伴う民生電子機器の環境では、これは問題である。何故なら、音声再生手段は震動を発生するからである。メモリシステムの性能低下を避けるため、メモリシステムに対する震動の影響を低下させるように動作する。これは、記憶システムの性能がユーザを悩ますほどの性能低下を生じる所定レベルを下回るまで落ちたときにのみ行われる。かかる所定レベルは、とりわけ、メモリシステムを用いる用途に影響されるものである。行われるべき動作は、音声レベルを低下させることとすることができるが、他にも、音声レベルを下げるよう、又は当該記憶システムを用いる動作を取り消すようユーザに勧告することとしてもよい。
【図面の簡単な説明】
【００７１】
【図１】本発明による回路の実施例を有する民生電子装置の実施例を示す図。
【図２】本発明の他の実施例としてのＴＶセットを示す図。
【図３】本発明のさらに他の実施例として衛星スピーカに接続されるＴＶセットを示す図。
【図４】本発明の実施例としてネットワーク環境を示す図。
【図５】本発明の他の実施例としてサブウーファユニットに接続されるＴＶセットを示す図。
【図６】オーディオビジュアルデータを記録するための民生電子記録装置を示す図。
【図１】
0004619128.tif 000002
【図２】
0004619128.tif 000003
【図３】
0004619128.tif 000004
【図４】
0004619128.tif 000005
【図５】
0004619128.tif 000006
【図６】
0004619128.tif 000007